(57)【要約】【課題】シートの搬送方向に対する曲がりを確実に補正することができるシート整合装置を得る。【解決手段】ガイド部材９０の内面９０Ａにおける幅方向中央部に、内面９０Ａに対して突出させた押圧ガイド部９２を設ける。上流側の用紙搬送路２８から用紙整合装置８０に送り込まれた用紙Ｐは、回転する搬送ロール８４に挟持されて下流側へ搬送され、停止状態のレジストロール８６に用紙先端が突き当てられてループＬが形成される。このループＬには、ガイド部材９０の押圧ガイド部９２によって、背面側から用紙幅方向の中央部に押圧力が加えられるため、大きいループ側に発生する押圧力は小さくなり、小さいループ側に発生する押圧力は大きくなって、小さいループ側の先端がレジストロール８６に適切に突き当たるようになる。【選択図】図３
2007131403.tif 000002
【特許請求の範囲】
【請求項１】
シートが搬送される搬送路の上流側に配置された一対の補助ロール及び下流側に配置された一対の補正ロールを備え、搬送路幅方向の略中央基準で搬送されるシートを、回転させた前記一対の補助ロールにより挟持して下流側へ搬送し、停止させた前記一対の補正ロールにシート先端を突き当ててシートループを形成することにより、シート搬送方向に対するシートの曲がりを補正するシート整合装置において、
前記一対の補助ロールと前記一対の補正ロールの間に、前記シートをガイドしつつシートループの背面側からシート幅方向の中央部に最も高い押圧力を加えるガイド手段が設けられていることを特徴とするシート整合装置。
【請求項２】
前記ガイド手段は、前記シート幅方向の中央部のみでシートに接触することを特徴とする請求項１記載のシート整合装置。
【請求項３】
前記ガイド手段は、
前記シート搬送方向の上流側が軸支されてシート押圧方向に回動可能とされた回動ガイド部材と、
前記回動ガイド部材を前記押圧方向へ付勢する付勢手段と、
を有することを特徴とする請求項１又は請求項２記載のシート整合装置。
【請求項４】
前記ガイド手段は、
前記シート搬送方向の上流側が支持されてシート押圧方向に弾性変形可能とされた弾性ガイド部材を有することを特徴とする請求項１又は請求項２記載のシート整合装置。
【請求項５】
請求項１〜請求項４の何れか１項記載のシート整合装置を備え、そのシート整合装置によって搬送方向に対する曲がりが補正されたシート状の記録媒体に対し画像形成部で画像を形成することを特徴とする画像形成装置。
【発明の詳細な説明】
【技術分野】
【０００１】
本発明は、シート整合装置及び画像形成装置に係り、詳細には、用紙等のシート状の記録媒体にループを形成して搬送方向に対する用紙の曲がりを補正する用紙整合装置等に適用されるシート整合装置、及び、そのシート整合装置によって搬送方向に対する曲がりが補正されたシート状の記録媒体に対して画像を形成する画像形成装置に関する。
【背景技術】
【０００２】
画像形成装置に搭載され、用紙先端をレジストロールに突き当てループを形成して用紙の曲がりを補正するループアライニング方式の用紙整合装置では、ループ背面部を押圧するガイド部材が１枚の場合、図９（Ａ）、（Ｂ）に示すように、用紙Ｐのループが大きい側（ＬＬ）に大きな押圧力が発生し（ＦＬ）、用紙Ｐの先端部が一対のレジストロール２００のニップ部Ｎに大きく入り込んだり、ロール端部に入り込んだりしてしまい、逆にループが小さい側（ＬＳ）は押圧力が小さいため（ＦＳ）、レジストロール２００のニップ部Ｎに向けての押し付けが弱くなり、曲がり補正が適切に行われない問題がある。
【０００３】
これを解決するために、ループ背面部を押圧するガイド部材を用紙幅方向に揺動可能に構成し、ループの小さい側の背面も押圧できるようにした技術（例えば、特許文献１参照）、あるいは、揺動可能なガイド部材を用紙幅方向に複数設けてループの小さい側も押圧力が発生するようにした技術（例えば、特許文献２参照）が提案されている。
【特許文献１】特開平７−２６７４２７号公報
【特許文献２】特開平８−１１３３８９号公報
【発明の開示】
【発明が解決しようとする課題】
【０００４】
しかしながら、上記特許文献１の構成では、用紙幅方向に均等の押圧力が発生するだけで、ループの小さい側を強く押すことができない。また、用紙の幅方向全面にガイド部材が接触するため、用紙とガイド部材の間に生じる摩擦抵抗により、小さいループ側の先端をレジストロールに適切に突き当てることができない。また特許文献２の場合は、大きいループ側にも押圧力が発生するため、特許文献１と同様にやはり用紙先端を適切に突き当てることができない。そのため、これらの構成では搬送方向に対する用紙の曲がりを確実に補正できない問題がある。
【０００５】
本発明は上記事実を考慮して、シートの搬送方向に対する曲がりを確実に補正することができるシート整合装置及び画像形成装置を提供することを課題とする。
【課題を解決するための手段】
【０００６】
上記目的を達成するために請求項１に記載の発明は、シートが搬送される搬送路の上流側に配置された一対の補助ロール及び下流側に配置された一対の補正ロールを備え、搬送路幅方向の略中央基準で搬送されるシートを、回転させた前記一対の補助ロールにより挟持して下流側へ搬送し、停止させた前記一対の補正ロールにシート先端を突き当ててシートループを形成することにより、シート搬送方向に対するシートの曲がりを補正するシート整合装置において、前記一対の補助ロールと前記一対の補正ロールの間に、前記シートをガイドしつつシートループの背面側からシート幅方向の中央部に最も高い押圧力を加えるガイド手段が設けられていることを特徴としている。
【０００７】
本発明では、例えばシート幅方向の両端部がガイドされるなどにより、搬送路幅方向の略中央基準で、すなわちその略中央にシート幅方向の略中央が位置合わせされて搬送されるシートは、搬送路の上流側に配置された一対の補助ロールの回転により、補助ロールに挟持されて下流側へ搬送され、搬送路の下流側に配置された停止状態の一対の補正ロールにシート先端が突き当てられてシートループが形成される。そしてこのシートループには、補助ロールと補正ロールの間に設けられたガイド手段により、背面側からシート幅方向の中央部に最も高い押圧力が加えられる。なお、シート幅方向の中央部に加えて例えば両側部にも接触する構造の場合、その両側部よりも中央部の方を大きな力で押圧するものであれば、全てこのガイド手段に含まれる。
【０００８】
このように、背面側からシートループの中央部に最も高い押圧力が加えられることで、大きいループ側に発生する押圧力は小さくなり、小さいループ側に発生する押圧力は大きくなって、小さいループ側の先端が補正ロールに適切に突き当てられるようになる。これにより、搬送方向に対するシートの曲がりが確実に補正される。
【０００９】
請求項２に記載の発明は、請求項１記載のシート整合装置において、前記ガイド手段は、前記シート幅方向の中央部のみでシートに接触することを特徴としている。
【００１０】
本発明では、シート幅方向の両側部において、シートとガイド手段との間の摩擦抵抗が低減されることにより、小さいループ側の先端を補正ロールに更に確実に突き当てられるようになり、シートの曲がり補正精度が高められる。
【００１１】
請求項３に記載の発明は、請求項１又は請求項２記載のシート整合装置において、前記ガイド手段は、前記シート搬送方向の上流側が軸支されてシート押圧方向に回動可能とされた回動ガイド部材と、前記回動ガイド部材を前記押圧方向へ付勢する付勢手段と、を有することを特徴としている。
【００１２】
本発明では、例えば固定されたガイド部材の場合、シートループが大きくなる過程で背面の中央部がガイド部材に強く押し付けられることにより、高い押圧力が発生して曲がりが補正されるが、押圧方向へ付勢された回動ガイド部材の場合、シートループが大きくなる前でも背面の中央部が回動ガイド部材に押されて押圧力が発生し、ループが大きくなるに従ってその押圧力が高められるため、小さいループ側の先端が補正ロールに更に確実に突き当てられるようになり、シートの曲がり補正精度を高めることができる。さらに、この回動ガイド部材をシート幅方向の中央部のみでシートに接触させるようにした場合には、シートの曲がり補正精度が更に高められる。
【００１３】
また、例えば湾曲した搬送路にこの回動ガイド部材を設けた場合には、固定されたガイド部材に比べて、補助ロールによって補正ロール側へ搬送されるシートを搬送路の湾曲形状に沿って円滑に湾曲させつつガイドすることができるため、シートのガイド性が高められる。
【００１４】
請求項４に記載の発明は、請求項１又は請求項２記載のシート整合装置において、前記ガイド手段は、前記シート搬送方向の上流側が支持されてシート押圧方向に弾性変形可能とされた弾性ガイド部材を有することを特徴としている。
【００１５】
本発明の場合も請求項３の構成と同様に、シートループが大きくなる前から背面の中央部が弾性ガイド部材に押されて押圧力が発生し、ループが大きくなるに従ってその押圧力が高められるため、小さいループ側の先端を補正ロールに更に確実に突き当て、シートの曲がり補正精度を高めることができる。さらに、この弾性ガイド部材もシート幅方向の中央部のみでシートに接触させるようにした場合には、シートの曲がり補正精度が更に高められるようになる。
【００１６】
また、湾曲した搬送路にこの弾性ガイド部材を設けた場合も同様に、搬送されるシートを搬送路の湾曲形状に沿って円滑に湾曲させつつガイドすることができてシートのガイド性を向上することができる。また、このような弾性ガイド部材であれば構成を簡素化することができる。
【００１７】
請求項５に記載の発明に係る画像形成装置は、請求項１〜請求項４の何れか１項記載のシート整合装置を備え、そのシート整合装置によって搬送方向に対する曲がりが補正されたシート状の記録媒体に対し画像形成部で画像を形成することを特徴としている。
【００１８】
上記のシート整合装置を備えた画像形成装置であれば、搬送方向に対する曲がりが確実に補正されたシート状の記録媒体に対して画像を形成できるため、記録媒体に対する画像の傾きや位置ずれが抑えられた良好な画像形成を実現できる。
【発明の効果】
【００１９】
本発明のシート整合装置及び画像形成装置によれば、シートの搬送方向に対する曲がりを確実に補正することができる。
【発明を実施するための最良の形態】
【００２０】
以下、図面を参照して本発明の実施形態に係るシート供給装置が適用された給紙装置、及び、その給紙装置が搭載された画像形成装置について説明する。
【００２１】
図１に示す本実施形態の画像形成装置１０は、電子写真方式を用いた複写機であり、図示のように、画像形成装置本体１２の上面部に、原稿トレイに載置された原稿を画像読取位置に自動で送り込み、画像読取後に自動で排出する自動原稿送り装置１４が設けられている。
【００２２】
画像形成装置本体１２の内部には、自動原稿送り装置１４から送り込まれた原稿の画像を読み取って画像信号に変換する原稿読み取り部１６、原稿読み取り部１６からの画像信号に基づいて用紙に画像（トナー像）を形成する画像形成部１８、画像形成部１８に対して用紙を供給する給紙装置２０、及び、画像形成部１８に供給する用紙の搬送方向に対する曲がりを補正する用紙整合装置８０が設けられている。
【００２３】
図２に示すように、給紙装置２０は、使用頻度の高いＡ４サイズやレターサイズ等の小サイズ用紙ＰＳが収容される２つの小型給紙カセット２２Ａ，２２Ｂ、Ａ３サイズ等の大サイズ用紙ＰＬが収容される２つの大型給紙カセット２４Ａ，２４Ｂ、これらの給紙カセット２２Ａ，２２Ｂ，２４Ａ，２４Ｂから用紙Ｐ（ＰＳ，ＰＬ）を送り出す給紙機構２６Ａ，２６Ｂ，２６Ｃ，２６Ｄ、送り出された用紙Ｐを画像形成部１８へ案内するための用紙搬送路２８、及び、用紙搬送路２８に沿って用紙を画像形成部１８側へ搬送する複数の搬送ロール対３０を備えている。
【００２４】
小型の給紙カセット２２Ａ，２２Ｂは、同一構成で構成部品の共通化が図られており、給紙容量が等しくされ、それぞれ大量（例えば１５００枚）の小サイズ用紙ＰＳが積み重ねられた状態で収容される。また、各々が略水平方向で且つ給紙方向の上流側と下流側に並列して近接するとともに、上流側（図２では右側）の給紙カセット２２Ａの方が、下流側（図２では左側）の給紙カセット２２Ｂよりも少し上方に位置して段違いに配置されている。
【００２５】
給紙カセット２２Ａ，２２Ｂの内部には、モータを駆動源とする図示しない昇降機構によって上下方向に移動可能とされたトレイ３２が設けられており、小サイズ用紙ＰＳはこのトレイ３２上に積載されて給紙カセット２２Ａ，２２Ｂ内に収容される。
【００２６】
また、大型の給紙カセット２４Ａ，２４Ｂは、並列配置された給紙カセット２２Ａ，２２Ｂの上方に略二段重ねで配置されており、それぞれ大サイズ用紙ＰＬが積み重ねられた状態で収容される。
【００２７】
給紙カセット２２Ａ，２２Ｂ，２４Ａ，２４Ｂにそれぞれ対応して設けられた給紙機構２６（２６Ａ〜２６Ｄ）は、同一構成とされて構成部品の共通化が図られている。この給紙機構２６は、給紙カセット内の最上の用紙Ｐを給紙方向へ繰り出すためのピックアップロール３４、繰り出された用紙Ｐを１枚ずつ送り出すためのフィードロール３６及びリタードロール３８と、図示は省略したがそれらの各ロールを回転可能に支持する支持機構、各ロールを回転駆動する駆動源としてのモータ、及びモータの回転力を各ロールに伝える回転力伝達機構等を備えており、それらの各部品がフレーム４０内に収容されて構成されている。
【００２８】
また、上流側の給紙カセット２２Ａに対応する給紙機構２６Ａについては、フレーム４０の下面部を構成する下部フレーム４０Ａが、下流側の給紙カセット２２Ｂのトレイ３２に積載された小サイズ用紙ＰＳの後端部に対して上方に近接配置されている。
【００２９】
給紙装置２０の上方には、用紙整合装置８０が用紙搬送路２８の下流端部（上端部）に接続されて配置されており、用紙整合装置８０には用紙搬送路２８から用紙Ｐ（ＰＳ，ＰＬ）が送り込まれる。
【００３０】
用紙整合装置８０は、給紙装置２０側の用紙搬送路２８と画像形成部１８との間を接続する用紙搬送路８２、用紙搬送路８２の上流側に配置された一対の搬送ロール（補助ロール）８４及び下流側に配置された一対のレジストロール（補正ロール）８６、図示は省略したがそれらの各ロールを回転可能に支持する支持機構、各ロールを回転駆動する駆動源としてのモータ、及びモータの回転力を各ロールに伝える回転力伝達機構等を備えており、搬送ロール８４の回転により用紙Ｐを下流側へ搬送し、停止させたレジストロール８６に用紙先端を突き当ててループを形成することにより、搬送方向に対する用紙Ｐの曲がりを補正する（ループアライニング）。そして、曲がり補正後に所定のタイミング（画像形成タイミング）でレジストロール８６及び搬送ロール８４を回転させ、用紙Ｐを画像形成部１８に送り込む。
【００３１】
また、この画像形成装置１０の用紙搬送系は、用紙Ｐを用紙搬送路２８，８２の幅方向における略中央基準で搬送する、すなわちその略中央に用紙幅方向の略中央を位置合わせした状態で搬送するセンターレジ方式とされている。
【００３２】
画像形成装置１０は以上の構成とされており、この画像形成装置１０では、自動原稿送り装置１４から送り込まれた原稿の画像を、原稿読み取り部１６で読み取り画像信号に変換し、その画像信号に基づき画像形成部１８で、給紙カセット２２Ａ，２２Ｂ，２４Ａ，２４Ｂから給紙機構２６Ａ，２６Ｂ，２６Ｃ，２６Ｄにより送り出され、用紙搬送路２８を搬送ロール対３０により搬送され、用紙整合装置８０により搬送方向に対する曲がりが補正されて供給された用紙Ｐに対し画像を形成することにより、原稿の画像を用紙Ｐに複写する。
【００３３】
（第１の実施形態）
次に、本発明の第１の実施形態に係る用紙整合装置８０について詳細に説明する。
【００３４】
上述したように、用紙整合装置８０は、用紙搬送方向の上流側（給紙装置２０側）に配置された一対の搬送ロール８４と、下流側（画像形成部１８側）に配置された一対のレジストロール８６との間に、用紙搬送路８２が設けられている。図３（Ａ）に示すように、用紙搬送路８２は、上流側となる下方から送り込まれた用紙Ｐを、下流側となる右方へ送り出すよう、上流側から下流側に掛けて上向きから右向きとなる湾曲形状とされ、湾曲部の内側に配置された補助ガイド部材８８と、外側に配置されたガイド部材９０とによって構成されている。
【００３５】
ガイド部材９０の内面９０Ａには、内面９０Ａに対して突出された押圧ガイド部９２が設けられている。図３（Ｂ）に示すように、押圧ガイド部９２は、ガイド部材９０の内面９０Ａを正面視した際に矩形状とされ、ガイド部材９０の幅方向（用紙方向：Ｗ）おける中央部に配置されている。
【００３６】
また、本実施形態の画像形成装置１０は、Ａ３サイズ（２９７ｍｍ×４２０ｍｍ）〜Ｂ６サイズ（１２８ｍｍ×１８２ｍｍ）の画像形成（複写）に対応しており、これに対してガイド部材９０では、幅寸法：ＷＡが最大用紙幅寸法（２９７ｍｍ）よりも大きい例えば３００ｍｍに設定され、押圧ガイド部９２の幅寸法：ＷＢが最小用紙幅寸法（１２８ｍｍ）の４０％〜８０％程度である例えば５０〜１００ｍｍに設定される。
【００３７】
本実施形態の用紙整合装置８０は以上の構成とされており、この用紙整合装置８０では、搬送路幅方向の略中央基準（センターレジ）で用紙搬送路２８から送り込まれた用紙Ｐは、回転する搬送ロール８４に挟持されて下流側へ搬送され、停止状態のレジストロール８６の外周面又はニップ部Ｎに用紙先端が突き当てられてループＬが形成される（図３（Ａ）参照）。そしてこのループＬには、搬送ロール８４とレジストロール８６の間に設けられたガイド部材９０の押圧ガイド部９２により、背面側から用紙幅方向の中央部に押圧力が加えられる。これにより、図４（Ａ）、（Ｂ）に示すように、大きいループ側に発生する押圧力は小さくなり、小さいループ側に発生する押圧力は大きくなって、小さいループ側の先端がレジストロール８６の外周面又はニップ部Ｎに適切に突き当てられるようになり、搬送方向に対する用紙Ｐの曲がりが確実に補正される。
【００３８】
またここでは、押圧ガイド部９２が用紙幅方向の中央部のみで用紙Ｐ（ループＬ）に接触するため、用紙幅方向の両側部では用紙Ｐシートとガイド部材９０との間の摩擦抵抗が小さくされ、小さいループ側の先端をレジストロール８６に更に確実に突き当てられるようになり、用紙Ｐの曲がり補正精度が高められる。
【００３９】
したがって、この用紙整合装置８０を備えた画像形成装置１０では、搬送方向に対する曲がりが確実に補正された用紙Ｐに対して画像を形成することにより、用紙Ｐに対する画像の傾きや位置ずれが抑えられた良好な画像形成を実現できる。
【００４０】
（第２の実施形態）
次に、本発明の第２の実施形態に係るガイド部材について説明する。
【００４１】
第２の実施形態は、第１の実施形態で説明したガイド部材における押圧ガイド部の形状に関する変形例である。
【００４２】
図５（Ａ）に示す例では、押圧ガイド部９４がガイド部材９０の幅方向（矢印Ｗ方向）に２分割されており、それらの間に、底面が内面９０Ａと同一面の凹部９６が設けられている。
【００４３】
また、図５（Ｂ）に示す例では、押圧ガイド部９８がガイド部材９０の幅方向（矢印Ｗ方向）に沿って略等間隔で配置され、用紙搬送方向に沿って延出された複数のリブ状の突起によって構成されている。
【００４４】
このように、押圧ガイド部については、第１実施形態のような連続した一体形状のものに限らず、図５（Ａ）、（Ｂ）に示すような、ガイド部材９０の幅方向に分割された分割形状の押圧ガイド部９４，９８等で構成することも可能であり、これらの押圧ガイド部９４，９８によっても、ループＬの背面中央部に押圧力が加えられ、搬送方向に対する用紙Ｐの曲がりを確実に補正することができる。
【００４５】
（第３の実施形態）
次に、本発明の第３の実施形態に係る用紙整合装置について説明する。
【００４６】
図６（Ａ）〜（Ｃ）に示すように、本実施形態の用紙整合装置１００では、用紙搬送路８２を構成する外側のガイド部材１０２の用紙搬送方向における略中間部部に、用紙押圧方向に回動する回動ガイド部材１０４が設けられている。
【００４７】
回動ガイド部材１０４は、図６（Ｄ）に示すように、上流端側（図６（Ｄ）では下端側）の両側部に一対の軸受け部１０６が設けられており、この一対の軸受け部１０６に形成された軸孔に支持軸１０８がそれぞれ挿入されることで、上流側が軸支されて用紙押圧方向に回動可能とされている。また、補助ガイド部材８８の外側に設けられた装置フレームへの連結部（図示省略）と、軸受け部１０６との間には、引っ張りコイルバネ１１０が架設されており、この引っ張りコイルバネ１１０のバネ力で回動ガイド部材１０４が用紙押圧方向へ付勢されている。
【００４８】
回動ガイド部材１０４の内面１０４Ａには、第１実施形態のガイド部材９０と同様に、内面１０４Ａに対して突出された押圧ガイド部１１２が設けられている。図６（Ｄ）に示すように、この押圧ガイド部１１２も、回動ガイド部材１０４の内面１０４Ａを正面視した際に矩形状とされ、回動ガイド部材１０４の幅方向（用紙方向：Ｗ）おける中央部に配置されている。
【００４９】
以上により、本実施形態の用紙整合装置１００では、図６（Ａ）に示す用紙搬送途中の状態で用紙ＰにループＬが形成される前や、図６（Ｂ）に示す用紙先端突き当て直後の状態で用紙ＰのループＬが大きくなる前でも、用紙押圧方向へ付勢された回動ガイド部材１０４の押圧ガイド部１１２により、ループＬの背面中央部が押されて押圧力が発生し、ループＬが大きくなるに従ってその押圧力が高められる。そのため、小さいループ側の先端がレジストロール８６に更に確実に突き当てられるようになり、用紙Ｐの曲がり補正精度を高めることができる。
【００５０】
またこの回動ガイド部材１０４の場合も、押圧ガイド部１１２を用紙幅方向の中央部のみで用紙Ｐ（ループＬ）に接触させるようにしているため、用紙Ｐの曲がり補正精度が更に高められる。
【００５１】
また、本実施形態のような湾曲した用紙搬送路８２にこの回動ガイド部材１０４を設けた場合には、第１実施形態のような固定された押圧ガイド部９２に比べて、搬送ロール８４によってレジストロール８６側へ搬送される用紙Ｐを用紙搬送路８２の湾曲形状に沿って円滑に湾曲させつつガイドすることができるため（図６（Ａ）参照）、特に薄紙に起こり易い座屈が防止され、用紙Ｐのガイド性が高められる。
【００５２】
（第４の実施形態）
次に、本発明の第４の実施形態に係る用紙整合装置について説明する。
【００５３】
図７（Ａ）、（Ｂ）に示すように、本実施形態の用紙整合装置１２０では、用紙搬送路８２を構成する外側のガイド部材１２２の用紙搬送方向における略中間部部で、且つ、ガイド部材１２２の幅方向（用紙方向：Ｗ）おける中央部に、矩形状の開口部１２４が形成されており、この開口部１２４内に、用紙押圧方向に回動する回動押圧部材１２６が設けられている。
【００５４】
回動押圧部材１２６は、図７（Ｄ）に示すように、ガイド部材１２２の内面１２２Ａを正面視した際に、開口部１２４よりも一回り小さい矩形状とされており、その内面には、内面全体が用紙押圧方向へ突出されて形成された押圧ガイド部１２８が設けられている。また、上流端部（図７（Ａ）、（Ｂ）では下端部）が軸支されて用紙押圧方向に回動可能とされており、ガイド部材１２２の外側に設けられた装置フレームへの連結部（図示省略）と、回動押圧部材１２６外面との間に架設された圧縮コイルバネ１３０のバネ力で用紙押圧方向へ付勢されている。
【００５５】
以上により、本実施形態の用紙整合装置１２０においても、用紙搬送途中のループ形成前や用紙先端突き当て直後のループが大きくなる前に、用紙押圧方向へ付勢された回動押圧部材１２６の押圧ガイド部１２８により、ループの背面中央部が押されて押圧力が発生し、ループが大きくなるに従ってその押圧力が高められる。したがって、小さいループ側の先端がレジストロール８６に確実に突き当たり、用紙の曲がり補正精度が高められる。
【００５６】
また、第３の実施形態と同様に、押圧ガイド部１２８を用紙幅方向の中央部のみで用紙（ループ）に接触させることでの用紙曲がり補正精度の向上効果、及び、湾曲した用紙搬送路８２に設けたことでの用紙ガイド性の向上効果が得られる。
【００５７】
（第５の実施形態）
次に、本発明の第５の実施形態に係る用紙整合装置について説明する。
【００５８】
図８（Ａ）〜（Ｃ）に示すように、本実施形態の用紙整合装置１４０では、用紙搬送路８２を構成する外側のガイド部材１４２の内面１４２Ａ側で、且つ、図８（Ｄ）に示すように、ガイド部材１４２の幅方向（用紙方向：Ｗ）おける中央部に、ＳＵＳ等の金属性の板バネからなる矩形状の弾性ガイド部材１４４が配置されている。
【００５９】
弾性ガイド部材１４４は、上流端部（図８（Ａ）〜（Ｄ）では下端部）がガイド部材１４２の上流端部に固定されて片持ち状とされており、無負荷状態では、補助ガイド部材８８に接近している（図８（Ａ）参照）。
【００６０】
以上により、本実施形態の用紙整合装置１４０の場合も、第３及び第４の実施形態と同様に、図８（Ａ）に示す用紙搬送途中のループ形成前や、図８（Ｂ）に示す用紙先端突き当て直後のループＬが大きくなるから、用紙Ｐの背面中央部が弾性ガイド部材１４４に接触し押されて押圧力が発生し、ループＬが大きくなるに従ってその押圧力が高められるため、小さいループ側の先端をレジストロール８６に確実に突き当て、用紙Ｐの曲がり補正精度を高めることができる。さらに、この弾性ガイド部材もシート幅方向の中央部のみでシートに接触させるようにした場合には、シートの曲がり補正精度が更に高められるようになる。
【００６１】
また、本実施形態の場合も、弾性ガイド部材１４４を用紙幅方向の中央部のみで用紙Ｐ（ループＬ）に接触させることでの用紙曲がり補正精度の向上効果、及び、湾曲した用紙搬送路８２に設けたことでの用紙ガイド性の向上効果が得られる。また、このような弾性ガイド部材１４４であれば構成を簡素化することができる。
【００６２】
以上、本発明を上述した第１〜第５の実施形態により詳細に説明したが、本発明はそれらに限定されるものではなく、本発明の範囲内にて他の種々の形態が実施可能である。
【００６３】
例えば、上述した第１〜第５の実施形態では、用紙幅方向の中央部のみを接触させて用紙ＰのループＬを背面側から押圧するようにしているが、第１及び第２の実施形態のガイド部材９０や第３の実施形態の回動ガイド部材１０４等であれば、押圧ガイド部９２，９４，９８，１１２の両側を占める内面部分を、押圧ガイド部側から両側端部へ向けて低位となるテーパー面に形成して、そのテーパー面が用紙Ｐに接触するような構成としてもよい。その場合でも、押圧ガイド部によってループの背面中央部に最も高い押圧力が加えられるため、搬送方向に対する用紙の曲がりを確実に補正することができる。
【００６４】
また本発明は、上述した複写機に限らず、レーザプリンタやインクジェットプリンタ等の他の画像形成装置、及びそれらのプリンタ等の搭載される用紙整合装置にも適用することができる。さらに本発明は、シート状記録媒体の搬送方向に対する曲がりを補正する上述したような用紙整合装置に限らず、高分子フィルム等のシートを加工するため、そのシートの搬送方向に対する曲がりを補正するシート整合装置にも適用することができる。
【図面の簡単な説明】
【００６５】
【図１】本発明の一実施形態に係る画像形成装置の概略構成を示す構成図である。
【図２】図１の画像形成装置に搭載された給紙装置及び用紙整合装置の概略構成を示す構成図である。
【図３】（Ａ）は本発明の第１の実施形態に係る用紙整合装置を示す縦断面、（Ｂ）は（Ａ）の用紙整合装置に設けられたガイド部材を内面側から見た図である。
【図４】本発明の第１の実施形態に係る用紙整合装置によって搬送方向に対する用紙の曲がりが適切に補正された状態を示す（Ａ）は斜視図、（Ｂ）は平面図である。
【図５】（Ａ）、（Ｂ）は本発明の第２の実施形態に係るガイド部材を内面側から見た図である。
【図６】（Ａ）〜（Ｃ）は本発明の第３の実施形態に係る用紙整合装置の構成と用紙の搬送及びループ形成過程を示す縦断面、（Ｄ）は（Ａ）〜（Ｃ）の用紙整合装置に設けられたガイド部材を内面側から見た図である。
【図７】（Ａ）は本発明の第４の実施形態に係る用紙整合装置を示す縦断面、（Ｂ）は（Ａ）の用紙整合装置に設けられたガイド部材を内面側から見た図である。
【図８】（Ａ）〜（Ｃ）は本発明の第５の実施形態に係る用紙整合装置の構成と用紙の搬送及びループ形成過程を示す縦断面、（Ｄ）は（Ａ）〜（Ｃ）の用紙整合装置に設けられたガイド部材を内面側から見た図である。
【図９】従来の構成によって搬送方向に対する用紙の曲がりが適切に補正されない状態を示す（Ａ）は斜視図、（Ｂ）は平面図である。
【符号の説明】
【００６６】
１０   画像形成装置
１８   画像形成部
８０   用紙整合装置（シート整合装置）
８２   用紙搬送路（搬送路）
８４   搬送ロール（補助ロール）
８６   レジストロール（補正ロール）
８８   補助ガイド部材
９０   ガイド部材（ガイド手段）
９２   押圧ガイド部（ガイド手段）
９４   押圧ガイド部（ガイド手段）
９８   押圧ガイド部（ガイド手段）
１００ 用紙整合装置（シート整合装置）
１０４ 回動ガイド部材（ガイド手段／回動ガイド部材）
１１０ 引っ張りコイルバネ（付勢手段）
１２０ 用紙整合装置（シート整合装置）
１２２ ガイド部材（ガイド手段）
１２６ 回動押圧部材（ガイド手段／回動ガイド部材）
１２８ 押圧ガイド部（ガイド手段／回動ガイド部材）
１３０ 圧縮コイルバネ（付勢手段）
１４０ 用紙整合装置（シート整合装置）
１４２ ガイド部材（ガイド手段）
１４４ 弾性ガイド部材（ガイド手段／弾性ガイド部材）
Ｌ     ループ
Ｐ     用紙（シート／記録媒体）
ＰＳ   用紙（シート／記録媒体）
ＰＬ   用紙（シート／記録媒体）
【図１】
2007131403.tif 000003
【図２】
2007131403.tif 000004
【図３】
2007131403.tif 000005
【図４】
2007131403.tif 000006
【図５】
2007131403.tif 000007
【図６】
2007131403.tif 000008
【図７】
2007131403.tif 000009
【図８】
2007131403.tif 000010
【図９】
2007131403.tif 000011